(57)【要約】【課題】キーシリンダの小型化を可能にしたキーシリンダのカバー構造を提供する。【解決手段】車両のドア２には、キー穴１ａを有するキーシリンダ１が設けられている。キーシリンダ１はシリンダホルダ４に設けられており、このシリンダホルダ４には、一端に板状のシャッタ５を有するカバー６が、スライド自在に取り付けられている。カバー６をキーシリンダ１から退避するように引き出すと、シャッタ５がキーシリンダ１上を通過し、キーシリンダ１がシリンダホルダ４上に露出し、キー２０をキー穴１ａに差し込むことができる。解錠／施錠後、シャッタ５の拘束を解除すれば、シャッタ５は、スプリングの附勢力によって、キーシリンダ１を閉じる方向に移動する。【選択図】図２
2008196224.tif 000002
【特許請求の範囲】
【請求項１】
車両の外面に設けられたキーシリンダを定位置で覆うカバーと、
前記カバーと一体にまたは出没自在に設けられて、前記キーシリンダのキー穴を所定位置で覆うシャッタと、
前記カバーを前記定位置へ復帰させる弾性部材と、
を備えたことを特徴とするキーシリンダのカバー構造。
【請求項２】
車両に設けられたキーシリンダのキー穴を定位置で覆うシャッタと、
前記シャッタに重ね合わせて前記シャッタと共に共通の軸に回転自在に軸支されたカバーと、
前記シャッタを前記定位置へ復帰させる弾性部材と、
を備えたことを特徴とするキーシリンダのカバー構造。
【請求項３】
前記シャッタは、前記カバーが前記キーシリンダを覆う状態にないときでも前記キーシリンダを覆う状態が存在することを特徴とする請求項１または２に記載のキーシリンダのカバー構造。
【発明の詳細な説明】
【技術分野】
【０００１】
本発明は、車両のドア等のキーシリンダにあって、そのキー穴を覆うシャッタを備えたキーシリンダのカバー構造に関する。
【背景技術】
【０００２】
自動車等車両のドア、トランクルーム等に設けられているキーシリンダは、そのキー穴（キー挿入口）が露出したままであると、キー穴にゴミや雨水が侵入し易くなり、キーの挿入や挿入後の回転が困難になったり、キーシリンダやドア内部が腐食する原因になる。
【０００３】
そこで、通常、キーシリンダの露出面（キー穴設置面）をキーカバーまたはシャッタで覆い、キーを挿入するときにはキーカバーまたはシャッタを回転させてキー穴を露出できるようにし、キーシリンダのキー穴の周囲に半円状のリブや溝を設けて雨水がキー穴に侵入しない排水構造にしたものがある（例えば、特許文献１参照）。
【特許文献１】特開平９−１０５２５２号公報
【発明の開示】
【発明が解決しようとする課題】
【０００４】
しかし、従来のキーシリンダによると、キーカバーやシャッタを取り付けたことにより、その分だけキーシリンダの全長が長くなり、また、シャッタ開閉機構が必要になるため、小型化が難しい。
【０００５】
従って、本発明の目的は、キーシリンダの小型化を可能にしたキーシリンダのカバー構造を提供することにある。
【課題を解決するための手段】
【０００６】
本発明は、上記目的を達成するため、車両の外面に設けられたキーシリンダを定位置で覆うカバーと、前記カバーと一体にまたは出没自在に設けられて、前記キーシリンダのキー穴を所定位置で覆うシャッタと、前記カバーを前記定位置へ復帰させる弾性部材と、を備えたことを特徴とするキーシリンダのカバー構造を提供する。
【０００７】
このような構成によれば、カバーに設けたシャッタは、カバーの移動に伴ってカバーと共に定位置から移動してキー穴を露出させ、カバーを拘束する状態が解除されれば、弾性部材によりカバーと共に定位置へ復帰する。
【０００８】
また、本発明は、上記目的を達成するため、車両に設けられたキーシリンダのキー穴を定位置で覆うシャッタと、前記シャッタに重ね合わせて前記シャッタと共に共通の軸に回転自在に軸支されたカバーと、前記シャッタを前記定位置へ復帰させる弾性部材と、を備えたことを特徴とするキーシリンダのカバー構造を提供する。
【０００９】
このような構成によれば、カバーに重ねるようにしてキーシリンダに回転可能に取り付けられたシャッタは、カバーの回転に連動して回転することによりキー穴を露出させ、カバーを拘束する状態が解除されれば、シャッタは定位置へ復帰してキーシリンダを封鎖する。
【発明の効果】
【００１０】
本発明のキーシリンダのカバー構造によれば、キーシリンダを小型化することができる。
【発明を実施するための最良の形態】
【００１１】
［第１の実施の形態］
（キーシリンダのカバー構造）
図１は、本発明の第１の実施の形態に係るキーシリンダのカバー構造を示す。
キー２０が挿入されるキー穴１ａを有するキーシリンダ１は、自動車等の車体のドア２に取り付けられた把手３の一端に設けられたシリンダホルダ４に取り付けられている。このシリンダホルダ４には、シャッタ５を備えたカバー６が水平移動可能に取り付けられている。
【００１２】
シリンダホルダ４は、長板状を成し、その一端にコイルバネ（弾性部材）７の一端を係止するバネ係着片８が設けられ、上下の側面にガイドレール９Ａ，９Ｂ及び板バネを逆Ｖ字形に曲げたストッパ１０Ａ，１０Ｂが設けられている。
【００１３】
カバー６は、上記シャッタ５、ガイドレール９Ａ，９Ｂに嵌合するガイド溝１１Ａ，１１Ｂ、コイルバネ７の一端を係止するバネ係着片１２、及びガイドレール９Ａ，９Ｂに勘合する凹部１３Ａ，１３Ｂを本体１４の内面に設けた構成を有している。
【００１４】
バネ係着片１２、シャッタ５、凹部１３Ａ，１３Ｂ、及びガイド溝１１Ａ，１１Ｂは、本体１４と共に樹脂成形により一体化されている。
【００１５】
シャッタ５は、カバー６の一端に突出するように設けられており、カバー６がシリンダホルダ４に重なるとき、シリンダホルダ４の他端を収納する把手３の開口３ａに挿入されるようになっている。
【００１６】
（カバー構造の動作）
図２は、図１のカバー構造におけるカバーの引き出し状態に応じた斜視図である。
【００１７】
図３は図２の各動作状態に対応する断面図であり、図２の（ａ）のＡ部の拡大図に相当する。
【００１８】
図２の（ａ）及び図３の（ａ）は、カバー６がシリンダホルダ４に重なった状態にあり、カバー６が収納された状態を示している。このとき、図３の（ａ）に示すように、カバー６は、本体１４のバネ係着片１２がコイルバネ７によって左方向に附勢されているため、本体１４の端面が把手３の側面に当接した定位置にあり、カバー６内は密封状態になっているため、塵埃等がカバー６内に侵入し難い構造になっている。
【００１９】
次に、ユーザが手でカバー６を右側へ少し引き出すと、カバー６は、ガイド溝１１Ａ，１１Ｂがガイドレール９Ａ，９Ｂによってガイドされながら定位置から右側へ移動し、その過程でシャッタ５が開口３ａから抜け出し、ストッパ１０Ａ，１０Ｂと凹部１３Ａ，１３Ｂが係合する位置に到達する。この位置が図２及び図３の各（ｂ）に示す状態である。この状態では、キーシリンダ１はシャッタ５で塞がれる状態にあり、キー２０を挿入することはできない。
【００２０】
ユーザが、カバー６をストッパ１０Ａ，１０Ｂによる仮止め状態に抗して更に右側へ移動させると、図２及び図３の各（ｃ）に示すように、シャッタ５はキーシリンダ１上を通過し、キーシリンダ１が露出する。従って、コイルバネ７の附勢力に抗してカバー６を保持したまま、ユーザがキー２０をキーシリンダ１のキー穴１ａに挿入し、キー２０を回転すれば、解錠することができる。
【００２１】
解錠の終了後、ユーザがカバー６から指を離すと、コイルバネ７の附勢力によって、カバー６は、図２の（ｄ）に示すようにキーシリンダ１の方向へ移動し、ストッパ１０Ａ，１０Ｂが凹部１３Ａ，１３Ｂに嵌入して停止する。このとき、図２の（ｄ）及び図３の（ｂ）に示すように、シャッタ５はキーシリンダ１を覆う状態にあり、キー穴１ａを塵埃等から保護している。
【００２２】
ここで、カバー６を図の左方向に押すと、ストッパ１０Ａ，１０Ｂが凹部１３Ａ，１３Ｂから抜け、コイルバネ７の附勢力によって図２及び図３の各（ａ）に示す状態になる。
【００２３】
以上は、解錠についての説明であるが、施錠も同様にして行うことができる。
【００２４】
（第１の実施の形態の効果）
第１の実施の形態によれば、下記の効果を奏する。
（１）シャッタ５をカバー６に設けたため、キーシリンダ１にシャッタ５及びその開閉機構を設ける必要がなくなり、キーシリンダ１を小型化することができる。これにより、全長の短いキーを採用することが可能となる。
（２）ストッパ１０Ａ，１０Ｂと凹部１３Ａ，１３Ｂの組み合わせにより、カバー６を閉め忘れた場合でも、キーシリンダ１がシャッタ５を塞ぐため、キー穴１ａへの塵埃等の侵入を防止することができる。
（３）シャッタ５は、カバー６と一体成形が可能であるため、部品数の低減及びコストダウンを図ることができる。
【００２５】
第１の実施の形態において、ストッパ１０Ａ，１０Ｂと凹部１３Ａ，１３Ｂとの係合位置は、図２及び図３の各（ｂ）に示すように、キーシリンダ１とシャッタ５が重なる状態にしたが、更に、図２及び図３の各（ａ）に示す位置関係でストッパ１０Ａ，１０Ｂに嵌合する凹部をカバー６に設けることもできる。これにより、収納状態におけるカバー６のガタつきを防止することができる。
【００２６】
［第２の実施の形態］
（キーシリンダのカバー構造）
図４は、本発明の第２の実施の形態に係るキーシリンダのカバー構造を示す。同図中、（ａ）は斜視図、（ｂ）は断面図である。なお、図４においては、ストッパ１０Ａ，１０Ｂ及び凹部１３Ａ，１３Ｂの図示を省略している。
【００２７】
本実施の形態は、第１の実施の形態において、シャッタ５をカバー６に一体化せず、別途シャッタ１５を設け、シャッタ１５を往復動可能にカバー６に取り付け、シャッタ１５をコイルバネ７でキーシリンダ１の方向へ附勢するようにしたものであり、その他の構成は第１の実施の形態と同様である。
【００２８】
また、本実施の形態においては、本体１４からバネ係着片１２を除去すると共に、把手３は開口３ａの部分が埋められている。
【００２９】
（カバー構造の動作）
次に、本実施の形態の解錠動作について説明する。ユーザが定位置にあるカバー６を手で把手３から図４の右側へ引き出すと、その過程で、コイルバネ７で附勢されているシャッタ１５が、本体１４から徐々に突出する。
【００３０】
カバー６をストッパ１０Ａ，１０Ｂが凹部１３Ａ，１３Ｂに嵌合する位置まで移動させ、更に、コイルバネ７の附勢力に抗して右側へ移動させると、図４に示す状態になる。この状態では、シャッタ１５はキーシリンダ１上を通過し、キーシリンダ１が露出している。従って、コイルバネ７の附勢力に抗してカバー６を手で保持したまま、キー２０をキーシリンダ１のキー穴１ａに挿入し、キー２０を回転すれば、解錠することができる。
【００３１】
解錠の終了後、カバー６から手を離すと、コイルバネ７の附勢力によって、カバー６はキーシリンダ１の方向へ移動し、ストッパ１０Ａ，１０Ｂが凹部１３Ａ，１３Ｂに嵌入して停止する。
【００３２】
ここで、カバー６を図４の左方向に押すと、ストッパ１０Ａ，１０Ｂが凹部１３Ａ，１３Ｂから抜け、カバー６はコイルバネ７の附勢力によって左方向へ移動し、その過程でシャッタ１５が徐々に本体１４内に収納されていくと共に、最終的にカバー６とシリンダホルダ４が重なり、カバー６がキーシリンダ１を閉じる状態になる。
【００３３】
以上は、解錠についての説明であるが、施錠も同様にして行うことができる。
【００３４】
第２の実施の形態によれば、開口３ａを有しないために、塵埃等が把手３内に侵入するのを防止することができる。その他の効果は、第１の実施の形態と同様である。
【００３５】
［第３の実施の形態］
（キーシリンダのカバー構造）
図５は、本発明の第３の実施の形態に係るキーシリンダのカバー構造を示す。同図中、（ａ）はシャッタ及びカバーを閉じた状態を示す斜視図、（ｂ）はシャッタ及びカバーを一体に回動さけた状態を示す斜視図、（ｃ）はシャッタを閉じカバーを開いた状態を示す斜視図である。なお、図５においては、図１に示したドア２、把手３及びシリンダホルダ４の図示を省略している。
【００３６】
本実施の形態は、キーシリンダ１と同一径のシャッタ１６及びカバー１７を、回動自在にキーシリンダ１の表面（キー挿入面）に軸１８により軸支すると共に、軸１８に装着されたコイルバネ（弾性部材）２８により、シャッタ１６が時計方向に附勢されるようにしたものである。
【００３７】
本実施の形態においては、カバー６を必要としないが、設ける場合には図３に示した第１の実施の形態からシャッタ５を除去した構成のカバーを用いればよい。また、把手３は、開口３ａを有しない構成にする。
【００３８】
キーシリンダ１は、上記キー穴１ａと、シャッタ１６及びカバー１７の回転を規制するストッパ１９が図５の右側面に設けられていると共に、カバー１７の横振れを防止するための爪２１が表面の上部に設けられている。
【００３９】
シャッタ１６は、図５の（ｃ）に示すように、閉じたときに爪２１に接触しないように、周辺の一部がカットされていると共に、ピン２２が軸１８の近傍に立設されている。
【００４０】
カバー１７は、爪２１に嵌合する凹部１７ａ、及びピン２２をガイドする円弧状の長孔２３を有し、シャッタ１６とは独立に回転するように軸１８に軸支されている。
【００４１】
（カバー構造の動作）
次に、本実施の形態の解錠動作について説明する。まず、ユーザは、カバーを備えている場合には、把手３からカバーを引き出す。
【００４２】
ついで、ユーザは、図５の（ａ）に示す定位置状態から、軸１８を中心にしてシャッタ１６及びカバー１７を反時計方向へ押し、図５の（ｂ）に示す状態にする。この状態から、更に、シャッタ１６及びカバー１７を反時計方向へ回転させ、キー穴１ａの全体を露出させる。
【００４３】
或いは、カバー１７を反時計方向へ押すと、ピン２２が長孔２３を移動し、ピン２２が長孔２３の端部まで移動した時点で、カバー１７とシャッタ１６が約９０°の角度で一体的に回転する。このまま、カバー１７を回転させると、キー穴１ａの全体が露出する。
【００４４】
次に、ユーザは、キー穴１ａの露出状態を保持したまま、キー２０をキーシリンダ１のキー穴１ａに挿入し、キー２０を回転すれば、解錠することができる。
【００４５】
解錠の終了後、ユーザがシャッタ１６及びカバー１７から指を離すと、コイルバネ２８の附勢力によってシャッタ１６は時計方向へ回転する。シャッタ１６は、その側面がストッパ１９に当接した時点で停止し、図５の（ｃ）に示す状態になる。
【００４６】
一方、カバー１７は、シャッタ１６のピン２２がシャッタ１６の回転に伴って長孔２３内を移動することにより、カバー１７がピン２２に引かれて回転し、図５の（ｃ）に示す状態になり、そのまま停止する。この状態では、カバー１７が半分開いたままになるが、シャッタ１６がキー穴１ａを塞いでいるため、キー穴１ａに塵埃等が侵入することはない。
【００４７】
次に、図５の（ｃ）に示す状態から、カバー１７をユーザが手で時計方向へ回転させると、カバー１７の側面がストッパ１９に当接し、図５の（ａ）に示す状態になり、キーシリンダ１の表面がシャッタ１６とカバー１７で閉じられると共に、爪２１にカバー１７の凹部１７ａが嵌合し、カバー１７が固定される。
【００４８】
以上は、解錠についての説明であるが、施錠も同様にして行うことができる。
【００４９】
（第３の実施の形態の効果）
第３の実施の形態によれば、下記の効果を奏する。
（１）円板状のシャッタ１６及びカバー１７を軸１８によりキーシリンダ１に取り付けた構成によりキーシリンダ１の全長を短くすることができ、キーシリンダ１を小型化することができる。これにより、全長の短いキーを採用することが可能となる。
（２）キーシリンダ１の表面にシャッタ１６とカバー１７が回転可能に設けられているため、カバー１７を閉め忘れてもシャッタ１６がキー穴１ａを塞ぐので、キー穴１ａへの塵埃の侵入を防止することができる。
（３）シャッタ１６にピン２２が設けられ、カバー１７に長孔２３が設けられていることにより、シャッタ１６とカバー１７の一方の回転に連動させて他方を回転させることができる。
【００５０】
［第４の実施の形態］
（キーシリンダのカバー構造）
図６は、本発明の第４の実施の形態に係るキーシリンダのカバー構造を示す。本実施の形態は、第２の実施の形態において、シリンダホルダ４に設けた軸２４にシャッタ２５及びカバー２６を軸支したものであり、その他の構成は第２の実施の形態と同様である。
【００５１】
なお、本実施の形態においては、第２の実施の形態のシリンダホルダ４から、バネ係着片８、ガイドレール９Ａ，９Ｂ及びストッパ１０Ａ，１０Ｂを除去している。
【００５２】
図６の（ａ）に示すように、シャッタ２５とカバー２６は、上下に重なる状態（定位置）に配置されている。
【００５３】
シャッタ２５は、略Ｌ字形の断面形状を成し、その長辺は板状で、先端部がキーシリンダ１を覆うことできるように位置決めされ、コイルバネ（弾性部材）３０によって図６の反時計方向に附勢されている。
【００５４】
カバー２６は、Ｌ字形の断面形状を成し、全体が箱型を成している。更に、軸２４が内嵌されているカバー２６の軸部２６ａには、凹部２６ｂが設けられていると共に、シャッタ２５の短辺の内側に当接する凸部２６ｃが設けられている。なお、カバー２６は、スプリング等の弾性部材は有していない。
【００５５】
シリンダホルダ４は、ストッパ２７が昇降自在に軸２４の下側に配設されており、ストッパ２７はスプリング２９によって上方向に附勢されている。
【００５６】
（カバー構造の動作）
次に、本実施の形態の解錠動作について説明する。まず、図６の（ａ）に示す定位置から、ユーザがカバー２６の先端部を手で引き上げると、ストッパ２７がカバー２６の凹部２６ｂから外れることによりカバー２６は容易に回転し、指を離してもその状態を維持し、図６の（ｂ）の状態になる。
【００５７】
この状態から、更に、ストッパ２７を図６の時計方向へ回転させると、カバー２６の凸部２６ｃがシャッタ２５の内側に当接し、カバー２６の回転と共にシャッタ２５が一体に時計方向へ回転し、最終的には図６の（ｃ）の状態になる。
【００５８】
図６の（ｃ）において、ユーザがカバー２６の状態を保持したまま、図１に示したキー２０をキーシリンダ１のキー穴１ａに挿入し、キー２０を回転すれば、解錠することができる。
【００５９】
解錠後、カバー２６から指を離せば、シャッタ２５に設けられたコイルバネ３０の附勢力により、シャッタ２５は図６の（ｃ）の反時計方向に回転すると共に凸部２６ｃが反時計方向に押されることにより、シャッタ２５と共にカバー２６は図６の（ｂ）に示す位置まで回転する。この状態では、キーシリンダ１がシャッタ２５によって塞がれているので、キー穴１ａへの塵埃等の侵入が防止されている。
【００６０】
ここで、カバー２６を反時計方向に回転させ、シリンダホルダ４の表面に平行させると、図６の（ａ）に示す状態になる。このとき、ストッパ２７が凹部２６ｂに嵌合し、カバー２６はロックされ、ガタつき等の発生が抑制される。
【００６１】
以上は、解錠についての説明であるが、施錠も同様にして行うことができる。
【００６２】
（第４の実施の形態の効果）
第４の実施の形態によれば、下記の効果を奏する。
（１）シャッタ２５をカバー２６の内側に設けたため、キーシリンダ１にシャッタ２５及びその開閉機構を設ける必要がなくなり、キーシリンダ１を小型化することができる。これにより、全長の短いキーを採用することが可能となる。
（２）カバー２６を閉め忘れた場合でも、シャッタ２５がキーシリンダ１を塞ぐため、キー穴１ａへの塵埃等の侵入を防止することができる。
【００６３】
［他の実施の形態］
なお、本発明は、上記各実施の形態に限定されず、その要旨を変更しない範囲内で種々な変形が可能である。例えば、各実施の形態間の構成要素の組合せは任意に行うことができる。
【図面の簡単な説明】
【００６４】
【図１】本発明の第１の実施の形態に係るキーシリンダのカバー構造を示す斜視図である。
【図２】図１のカバー構造におけるカバーの引き出し状態を示し、（a）〜（ｄ）は、カバーを閉じた状態から解錠までの各状態を示す斜視図である。
【図３】図２に対応する断面図であり、（ａ）は図２の（ａ）に対応する断面図、（ｂ）は図２の（ｂ）及び（ｄ）に対応する断面図、（ｃ）は図２の（ｃ）に対応する断面図である。
【図４】本発明の第２の実施の形態に係るキーシリンダのカバー構造を示し、（ａ）は斜視図、（ｂ）は断面図である。
【図５】本発明の第３の実施の形態に係るキーシリンダのカバー構造を示し、（ａ）はシャッタ及びカバーを閉じた状態を示す斜視図、（ｂ）はシャッタ及びカバーを一体に回動さけた状態を示す斜視図、（ｃ）はシャッタを閉じカバーを開いた状態を示す斜視図である。
【図６】本発明の第４の実施の形態に係るキーシリンダのカバー構造を示し、（ａ）はシャッタ及びカバーを閉じた状態を示す断面図、（ｂ）はカバーを一体に回動さけた状態を示す断面図、（ｃ）はシャッタ及びカバーを開いた状態を示す断面図である。
【符号の説明】
【００６５】
１  キーシリンダ
１ａ  キー穴
２  ドア
３  把手
３ａ  開口
４  シリンダホルダ
５，１５，１６，２５  シャッタ
６，２６  カバー
７  コイルバネ
８  バネ係着片
９Ａ，９Ｂ  ガイドレール
１０Ａ，１０Ｂ  ストッパ
１１Ａ，１１Ｂ  ガイド溝
１２  バネ係着片
１３Ａ，１３Ｂ  凹部
１４  本体
１７  カバー
１７ａ  凹部
１８  軸
１９  ストッパ
２０  キー
２１  爪
２２  ピン
２３  長孔
２４  軸
２６ａ  軸部
２６ｂ  凹部
２６ｃ  凸部
２７  ストッパ
２８，３０  コイルバネ
２９  スプリング
【図１】
2008196224.tif 000003
【図２】
2008196224.tif 000004
【図３】
2008196224.tif 000005
【図４】
2008196224.tif 000006
【図５】
2008196224.tif 000007
【図６】
2008196224.tif 000008